【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
少なくとも１種の共役ジエンと、少なくとも１種のα，β−不飽和ニトリルと、不飽和カルボン酸のアルキルエステル、アルコキシアルキルアクリレート、およびジエン以外のエチレン性不飽和モノマーよりなる群から選択される少なくとも１種のモノマーとを含むニトリルターポリマーの製造方法であって、
一般式Ｉ、ＩＩ、ＩＩＩ、ＩＶ、またはＶ：
【化１】
2007023282.tif 000001
〔式中、
Ｍは、ＯｓまたはＲｕであり、
ＲおよびＲ１は、独立して、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【化２】
2007023282.tif 000002
〔式中、
Ｍ１は、ＯｓまたはＲｕであり；
Ｒ２およびＲ３は、独立して、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり、
Ｘ２は、アニオン性配位子であり、そして
Ｌ２は、単環式であるか多環式であるかを問わず、中性π結合配位子であり、
Ｌ３は、ホスフィン類、スルホン化ホスフィン類、フッ素化ホスフィン類、官能化ホスフィン類（３個までのアミノアルキル基、アンモニウムアルキル基、アルコキシアルキル基、アルコキシルカルボニルアルキル基、ヒドロキシカルボニルアルキル基、ヒドロキシアルキル基、またはケトアルキル基を有する）、ホスフィット類、ホスフィニット類、ホスホニット類、ホスフィンアミン類、アルシン類、スチベン類、エーテル類、アミン類、アミド類、イミン類、スルホキシド類、チオエーテル類、およびピリジン類よりなる群から選択される配位子であり、
Ｙ−は、非配位性アニオンであり、
ｎは、０〜５の範囲内の整数である〕；
【化３】
2007023282.tif 000003
〔式中、
Ｍ２は、ＭｏまたはＷであり、
Ｒ４およびＲ５は、独立して、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり、
Ｒ６およびＲ７は、任意の無置換型もしくはハロ置換型のアルキル基、アリール基、アラルキル基、またはそれらのケイ素含有アナログから独立して選択される〕；
【化４】
2007023282.tif 000004
〔式中、
Ｍは、ＯｓまたはＲｕであり、
ＲおよびＲ１は、独立して、水素、置換型もしくは無置換型のアルキル、および置換型もしくは無置換型のアルキルよりなる群から選択され、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【化５】
2007023282.tif 000005
〔式中、
Ｍ１は、ＯｓまたはＲｕであり；
Ｒは、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり；
Ｘは、任意のアニオン性配位子から選択され；そして
Ｌ１は、単環式であるか多環式であるかを問わず、中性π結合配位子、好ましくは、限定されるものではないが、アレーン、置換型アレーン、ヘテロアレーンであり；
Ｌは、ホスフィン類、スルホン化ホスフィン類、フッ素化ホスフィン類、官能化ホスフィン類（３個までのアミノアルキル基、アンモニウムアルキル基、アルコキシアルキル基、アルコキシルカルボニルアルキル基、ヒドロキシカルボニルアルキル基、ヒドロキシアルキル基、またはケトアルキル基を有する）、ホスフィット類、ホスフィニット類、ホスホニット類、ホスフィンアミン類、アルシン類、スチベン類、エーテル類、アミン類、アミド類、イミン類、スルホキシド類、チオエーテル類、およびピリジン類よりなる群から選択される配位子であり、
Ｙ−は、非配位性アニオンである〕
で示される化合物よりなる群から選択される少なくとも１種の化合物の存在下で該ニトリルターポリマーを反応させることを含む、方法。
【請求項２】
請求項１に記載の反応生成物を水素化することを含む、低分子量水素化ニトリルターポリマーの製造方法。
【請求項３】
水素化ターポリマーが１〜５５のムーニー粘度（ＭＬ（１＋４）（１００℃））を有する、請求項２に従って製造される水素化ターポリマー。
【請求項４】
前記水素化ターポリマーが、５〜５０、好ましくは１０〜４５、より好ましくは１５〜４０のムーニー粘度（ＭＬ（１＋４）（１００℃））を有する、請求項３に記載の水素化ターポリマー。
【手続補正２】
【補正対象書類名】明細書
【補正対象項目名】００１９
【補正方法】変更
【補正の内容】
【００１９】
【化６】
2007023282.tif 000006
〔式中、
Ｍは、ＯｓまたはＲｕであり、
ＲおよびＲ１は、独立して、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【手続補正３】
【補正対象書類名】明細書
【補正対象項目名】００２２
【補正方法】変更
【補正の内容】
【００２２】
【化７】
2007023282.tif 000007
〔式中、
Ｍは、ＯｓまたはＲｕであり、
ＲおよびＲ１は、独立して、水素、置換型もしくは無置換型のアルキル、および置換型もしくは無置換型のアルキルよりなる群から選択され、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【手続補正４】
【補正対象書類名】明細書
【補正対象項目名】００３６
【補正方法】変更
【補正の内容】
【００３６】
【化８】
2007023282.tif 000008
〔式中、
Ｍは、ＯｓまたはＲｕであり、
ＲおよびＲ１は、独立して、水素、または、Ｃ２〜Ｃ２０アルケニル、Ｃ２〜Ｃ２０アルキニル、Ｃ１〜Ｃ２０アルキル、アリール、Ｃ１〜Ｃ２０カルボキシレート、Ｃ１〜Ｃ２０アルコキシ、Ｃ２〜Ｃ２０アルケニルオキシ、Ｃ２〜Ｃ２０アルキニルオキシ、アリールオキシ、Ｃ２〜Ｃ２０アルコキシカルボニル、Ｃ１〜Ｃ２０アルキルチオ、Ｃ１〜Ｃ２０アルキルスルホニル、およびＣ１〜Ｃ２０アルキルスルフィニルよりなる群から選択される炭化水素であり、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【手続補正５】
【補正対象書類名】明細書
【補正対象項目名】００３９
【補正方法】変更
【補正の内容】
【００３９】
【化９】
2007023282.tif 000009
〔式中、
Ｍは、ＯｓまたはＲｕであり、
ＲおよびＲ１は、独立して、水素、置換型もしくは無置換型のアルキル、および置換型もしくは無置換型のアルキルよりなる群から選択され、
ＸおよびＸ１は、独立して、任意のアニオン性配位子であり、そして
ＬおよびＬ１は、独立して、任意の中性配位子、たとえば、ホスフィン類、アミン類、チオエーテル類、もしくはイミダゾリジニリデン類、または任意の中性カルベンであり、場合により、ＬおよびＬ１は、互いに連結されて二座中性配位子を形成可能である〕；
【手続補正６】
【補正対象書類名】明細書
【補正対象項目名】００４４
【補正方法】変更
【補正の内容】
【００４４】
メタセシス反応は、コオレフィンがまったく存在しなくても実施可能である。しかしながら、メタセシス反応をコオレフィンの存在下で行った場合、反応速度が改良される。コオレフィンは、炭化水素であっても官能化されていてもよいが、メタセシス触媒を失活させたり反応を妨害したりするものであってはならない。好ましいオレフィンとしては、エチレン、イソブテン、スチレン、または１−ヘキセンのようなＣ２〜Ｃ１６の線状もしくは分枝状のオレフィンが挙げられるが、これらに限定されるものではない。コオレフィンが液体（たとえば１−ヘキセン）である場合、利用されるコオレフィンの量は、好ましくは１〜２００重量％の範囲内である。コオレフィンがガス（たとえばエチレン）である場合、利用されるコオレフィンの量は、通常、反応槽内の圧力が２×１０４Ｐａ〜２．５×１０７Ｐａの範囲内、好ましくは１×１０５Ｐａ〜１×１０７Ｐａの範囲内、より好ましくは５．２×１０５Ｐａ〜４×１０６Ｐａの範囲内になるような量である。